(57)【要約】      （修正有）【課題】米を簡単に研ぐことができると共に容器を傷つけることのない米研ぎ機を提供する。【解決手段】米洗容器内の水に浸漬した米を洗米する米研ぎ機であって、回転軸１の先にシリコン等で加工した複数の略円柱型の攪拌棒２等を備えたアタッチメントに電動機及び把持部５を着脱可能に垂設し、この握持部５に電動機を回転せしめるスイッチ６を設けた米研ぎ機。【選択図】図１
0003152698.tif 000002
【実用新案登録請求の範囲】
【請求項１】
米洗容器内の水に浸漬した米を洗米する米研ぎ機であって、回転軸の先にシリコン等で加工した複数の略円柱型の攪拌棒を備えたアタッチメントに電動機及び把持部を着脱可能に垂設し、この握持部に電動機を回転せしめるスイッチを設けた米研ぎ機及びその着脱可能なアタッチメント。
【請求項２】
米洗容器内の水に浸漬した米を洗米する米研ぎ機であって、回転軸の先にシリコン等で加工した泡だて器を備えたアタッチメントを着脱可能にした請求項１記載の米研ぎ機及びその着脱可能なアタッチメント。
【請求項３】
米洗容器内の水に浸漬した米を洗米する米研ぎ機であって、回転軸の先にシリコン等で加工したロの字型の攪拌部を備えたアタッチメントを着脱可能にした請求項１記載の米研ぎ機及びそのアタッチメント。
【請求項４】
アタッチメントの中央先端を鋭角または、突起を設けた請求項１から請求項３記載の米研ぎ機及びその着脱可能なアタッチメント。
【考案の詳細な説明】
【技術分野】
【０００１】  本考案は簡単に米が研げる米研ぎ機に関する。
【背景技術】
【０００２】  寒中に冷たい水の中に手を入れて米を研ぐ作業は辛い作業である。
【考案の概要】
【考案が解決しようとする課題】
【０００３】  以上述べたように米研ぎは辛く面倒な為、簡単に米研ぎが出来る物が望まれていた。
【課題を解決するための手段】
【０００４】  本考案は、上記課題を解決するために米洗容器内に水に浸漬した米をシリコン等で加工した複数の略円柱型の攪拌棒を備えたアタッチメントに電動機及び把持部を着脱可能に垂設し、この握持部に電動機を回転せしめるスイッチを設けた米研ぎ機により、米と水とを一緒に撹拌旋回せしめて米研ぎして上記苦労を解決した米研ぎ機及びそのアタッチメントを提供するものである。【０００５】  また、第２の解決手段は回転軸の先にシリコン等で加工した泡だて器を備えたアタッチメントを着脱可能にしたものである。【０００６】  また、第３の解決手段は回転軸の先にシリコン等で加工したロの字型の攪拌部を備えたアタッチメントを着脱可能にしたものである。【０００７】また第４の解決手段は各アタッチメントの中央先端を鋭角又は突起を設けたものである。
【考案の効果】
【０００８】  本考案は上記のように構成したので、米洗容器内の水に浸漬した米が攪拌棒により水と一緒に撹拌旋回されて短時間で均一に米を研ぐことができるうえに、容器を傷つけず、寒中に冷たい水の中に手を入れて米を研ぐことの辛さから解消される米研ぎ機となる。【０００９】また、第２の解決手段は、回転軸の先にシリコン等で加工した泡だて器を備えたアタッチメントを着脱可能にしたもので、さらに手早く研ぐことが出来る。【００１０】また、第３の解決手段は、回転軸の先にシリコン等で加工したロの字型の攪拌部を備えたアタッチメントを着脱可能にしたもので、製造コストを安くすることが出来る。【００１１】また、第４の解決手段は、各アタッチメントの中央先端を鋭角または、突起を設ける事により、容器との接地面が少なくなり摩擦が少なく楽に回転させることが出来る。
【図面の簡単な説明】
【００１２】
【図１】本考案の実施例の斜視図である。
【図２】本考案の実施例の使用状態を示す一部を切欠ける正面図である。
【図３】本考案の第２のアタッチメント実施例の正面図である。
【図４】本考案の第３のアタッチメント実施例の斜視図である。
【図５】本考案の第４のアタッチメント実施例の正面図である。
【図６】コの字型のアタッチメント実施例の斜視図である。
【考案を実施するための形態】
【００１３】以下本考案の実施の形態を図１〜図６に基づいて説明する。
【００１４】  米洗容器ａ内の水に浸漬した米ｂを洗米する米研ぎ機であって、回転軸１の先にシリコン等で加工した複数の略円柱型の攪拌棒２を備えたアタッチメントに電動機３及び把持部５を着脱可能に垂設し、この握持部５に電動機３を回転せしめるスイッチ６を設ける。
【００１５】  その他にシリコンで加工した泡だて器４や、ロの字型９、複数の攪拌棒を２本としたコの字型１０等の攪拌部を備えたアタッチメントがある。
【００１６】  また泡だて器４や、ロの字型のアタッチメント９の中央先端や、複数の攪拌棒のアタッチメントや、コの字型のアタッチメントの中心に軸を設け、その先端を鋭角にするか、突起１０を設置することにより、接地面が少なくなり摩擦が少なく楽に回転させることが出来るアタッチメントとなる。
【００１７】  また、これらのアタッチメントの材質をシリコンとしたが、容器を傷めないものであれば、ポリエチレン等の合成樹脂など他の材質でもかまわない。
【００１８】  さらに攪拌棒は、円柱型としたがこれを略羽の形にしたり、ロの字のアタッチメントを十字に配置させるなどの形も考えられる。
【００１９】  また、これらのアタッチメントをハンドミキサーに装着しても同じ効果が得られる。
【実施例】
【００２０】以下添付図面に従って一実施例を説明する。米研ぎ機の握持部５を握り回転軸１の先のシリコン等で加工した複数の略円柱型の攪拌棒２を備えたアタッチメントを米洗容器ａの水の中に浸してスイッチ６をＯＮせしめると米洗容器ａ内の米ｂが水と一緒に撹拌される。【００２１】  この攪拌された米と洗水は攪拌棒２により同時に旋回され、この動作を繰り返して米洗容器ａ内の水に浸漬した米ｂを水と一緒に攪拌棒２により撹拌旋回せしめて、米ｂを米粒どうしの摩擦や攪拌棒２の摩擦や水流による摩擦撹拌により米研ぎする。【００２２】  米が研ぎ終わったら米洗容器ａ内の水を捨てる。
【符号の説明】
【００２３】  ａ米洗容器
ｂ米
１回転軸
２攪拌棒
３電動機
４泡だて器アタッチメント
５握持部
６スイッチ
７出力軸
８コの字型アタッチメント
９ロの字型アタッチメント
１０突起部
【図１】
0003152698.tif 000003
【図２】
0003152698.tif 000004
【図３】
0003152698.tif 000005
【図４】
0003152698.tif 000006
【図５】
0003152698.tif 000007
【図６】
0003152698.tif 000008
【手続補正書】
【提出日】平成21年5月15日(2009.5.15)
【手続補正１】
【補正対象書類名】実用新案登録請求の範囲
【補正対象項目名】請求項１
【補正方法】変更
【補正の内容】
【請求項１】
米洗い容器内の水に浸漬した米を洗米する米研ぎ機であって、回転軸の先にシリコン等で加工した複数の略円柱型の攪拌棒を備えたアタッチメントに電動機及び把持部を着脱可能に垂設し、この把持部に電動機を回転せしめるスイッチを設けたことを特徴とする着脱可能なアタッチメントを備えた米研ぎ機。
【手続補正２】
【補正対象書類名】実用新案登録請求の範囲
【補正対象項目名】請求項２
【補正方法】変更
【補正の内容】
【請求項２】
米洗い容器内の水に浸漬した米を洗米する米研ぎ機であって、回転軸の先にシリコン等で加工した泡だて器を備えたアタッチメントに電動機及び把持部を着脱可能に垂設し、この把持部に電動機を回転せしめるスイッチを設けたことを特徴とする着脱可能なアタッチメントを備えた米研ぎ機。
【手続補正３】
【補正対象書類名】実用新案登録請求の範囲
【補正対象項目名】請求項３
【補正方法】変更
【補正の内容】
【請求項３】
米洗い容器内の水に浸漬した米を洗米する米研ぎ機であって、回転軸の先にシリコン等で加工したロの字型の攪拌部を備えたアタッチメントに電動機及び把持部を着脱可能に垂設し、この把持部に電動機を回転せしめるスイッチを設けたことを特徴とする着脱可能なアタッチメントを備えた米研ぎ機。
【手続補正４】
【補正対象書類名】実用新案登録請求の範囲
【補正対象項目名】請求項４
【補正方法】変更
【補正の内容】
【請求項４】
アタッチメントの中央先端を鋭角または、突起を設けた請求項１から請求項３のいずれか１項に記載の着脱可能なアタッチメントを備えた米研ぎ機。